(57)【特許請求の範囲】
【請求項１】
機種情報が表示された証紙が表面に貼着され端部に支持部が設けられた貼着部材と、
遊技盤の盤面に取り付けられ、前記貼着部材の裏面を前記盤面側に向けて前記支持部を支持し貼着部材を盤面に対して開閉動可能とする支持手段を備えた盤面部材と、
を有し、
前記貼着部材は、前記盤面部材が前記遊技盤から取り外されることにより前記支持手段による前記支持部の支持状態が解除されることを特徴とするパチンコ機。
【請求項２】
前記貼着部材に対応してパチンコ機本体に設けられ、そのパチンコ機本体にセットされた前記遊技盤を固定及び固定解除する固定手段と、
貼着部材の閉塞動作により前記固定手段による遊技盤の固定及び固定解除状態を報知する報知手段と、
を有することを特徴とする請求項１記載のパチンコ機。
【請求項３】
機種情報が表示された証紙が表面に貼着され端部に支持部が設けられた貼着部材と、
遊技盤の盤面に取り付けられ、前記貼着部材の裏面を前記盤面側に向けて前記支持部を支持し貼着部材を盤面に対して開閉動可能とする支持手段を備えた盤面部材と、
前記貼着部材に対応してパチンコ機本体に設けられ、そのパチンコ機本体にセットされた前記遊技盤を固定及び固定解除する固定手段と、
貼着部材の閉塞動作により前記固定手段による遊技盤の固定及び固定解除状態を報知する報知手段と、
を有することを特徴とするパチンコ機。
【請求項４】
前記貼着部材は、前記盤面部材が前記遊技盤から取り外されることにより前記支持手段による前記支持部の支持状態が解除されることを特徴とする請求項３記載のパチンコ機。
【請求項５】
前記支持手段は前記盤面部材とは別体とされ、盤面部材の裏面側からネジ部材により固定されることを特徴とする請求項３記載のパチンコ機。
【請求項６】
前記支持部は前記貼着部材に一体成形された軸部又は軸受け部とされ、前記支持手段は前記軸部又は軸受け部に回動自在に係合する軸受け部又は軸部を有することを特徴とする請求項１〜請求項５の何れか１項記載のパチンコ機。
【請求項７】
前記盤面部材は、前記遊技盤の盤面を装飾する装飾部材とされていることを特徴とする請求項１〜請求項６の何れか１項記載のパチンコ機。
【請求項８】
前記固定手段は、前方へ突出し前記盤面に対する略垂直線回りに回転可能とされて回転位置を変えることにより前記遊技盤に設けられた係合部材に係合及び係合解除する回転部材を有し、
前記報知手段は、前記貼着部材の裏面に設けられ、貼着部材の閉塞動作により前記係合部材に係合した状態の前記回転部材に嵌め合わせられる嵌合部を有することを特徴とする請求項２〜７の何れか１項記載のパチンコ機。
【発明の詳細な説明】
【０００１】
【発明の属する技術分野】
本発明はパチンコ機に係り、詳しくは、遊技盤に設ける証紙の不正変更防止を強化するとともに盤面スペースを有効に使用することができるパチンコ機に関する。
【０００２】
【従来の技術】
パチンコ機をホールへ納入し設置するに当たっては、事前に、公安委員会の型式検定に適合しておく必要がある。検定では、提出書類に記載された製造番号と遊技盤に貼り付けられた証紙の製造番号（機械番号）とに差異がないかなど調べられるが、そこで問題がなければホールへの設置許可がおりる。また証紙については、貼り付け位置が遊技盤の盤面（表面）右下に定められており、従来は、盤面の所定位置に直接貼り付けたり、盤面の右側を装飾するレール飾りなどの装飾部材上に貼り付けている。
【０００３】
ただし、それらの方法では、製造時に作業ミス等で証紙が貼り間違えられたときに、前者は手直しが大変であり、後者は、装飾部材が大型であることから、不良品となって廃棄される部材の容量が増えて無駄が多くされる問題がある。また後者の場合、パチンコ機の故障等で遊技盤が入れ替えられる際、その遊技盤の入れ替えに伴う証紙（装飾部材）の交換においては、装飾部材がネジ止めされているために脱着作業が煩雑となる問題もある。
【０００４】
これに対し、証紙交換を容易にするとともに、証紙の貼り間違い等によって生じる廃棄部材の量を抑えるようにした技術が提案されている。例えば、実登２５９２９０９号公報では、証紙サイズよりも少し大きい取付板に証紙を貼着し、ランプ飾り（装飾部材）には取付板を嵌め入れる凹部に係止片とダボ孔を形成して、それら係止片とダボ孔に取付板端部と取付板裏面のダボとをそれぞれ係止させることにより、取付板を着脱可能な構造としている。これにより、証紙（取付板）が遊技盤（装飾部材）に簡単に着脱できるようになるとともに、証紙の貼り間違い等によって生じる廃棄部材の容量も少なくされて、無駄が抑えられるようになる。
【０００５】
ただし上記の構造では、証紙（取付板）を取り外す際に、密接している取付板の裏面と凹部の底壁との間にドライバーの先端を差し込み、取付板を浮かせるようにして取り外すことになるため、ドライバーにより誤って証紙を傷つける恐れがある。そのため、実登２５０７５１２号公報に提案されているように、取付板を装飾部材に取り付けるための開口部を貫通させ、遊技盤には開口部との対応位置に透孔を設けることで、取付板を裏面側から押し出して取り外せるようにしているものもある。
【０００６】
【発明が解決しようとする課題】
しかし、それら証紙を取付板に貼着して装飾部材に簡単に着脱できるようにしたものでは、証紙交換が容易になる反面、証紙を不正に変えた別の遊技盤に入れ替えてホール営業されてしまうという欠点を併せ持つ。そのため、証紙交換の容易性はさほど損なわず、また証紙の貼り間違い等による廃棄部材量の低減効果も維持したまま、上記の不正な営業行為にも対応できる更なる改善が望まれる。
【０００７】
一方、近年のパチンコ機では、遊技性向上のため、表示器や役物等を大型化して遊技の演出効果を高めるようにした機種が開発されており、それに伴って遊技盤の盤面に設ける遊技領域も拡大される傾向にある。しかし、遊技盤の遊技領域外には、前述した証紙の他、ランプや種々の装飾部材、遊技説明表示部、あるいは特定の役割を果たす機能部品等を配置しなければならないため、それらのレイアウト・スペースも確保する必要がある。したがって、遊技領域の拡大化は容易にできるものではなく、そのためには盤面の限られたスペースをより有効に使用する工夫が求められる。
【０００８】
本発明は上記事実を考慮して、遊技盤に設ける証紙の交換作業の容易性を損なわず、証紙を貼着する部材の廃棄による無駄を抑えながら、証紙の不正変更防止を強化して不正な営業行為の抑制するとともに、盤面スペースを有効に使用することができるパチンコ機を提供することを課題とする。
【０００９】
【課題を解決するための手段】
請求項１に記載の発明は、機種情報が表示された証紙が表面に貼着され端部に支持部が設けられた貼着部材と、遊技盤の盤面に取り付けられ、前記貼着部材の裏面を前記盤面側に向けて前記支持部を支持し貼着部材を盤面に対して開閉動可能とする支持手段を備えた盤面部材と、を有し、前記貼着部材は、前記盤面部材が前記遊技盤から取り外されることにより前記支持手段による前記支持部の支持状態が解除されることを特徴としている。また、請求項２に記載の発明は、請求項１記載のパチンコ機において、前記貼着部材に対応してパチンコ機本体に設けられ、そのパチンコ機本体にセットされた前記遊技盤を固定及び固定解除する固定手段と、貼着部材の閉塞動作により前記固定手段による遊技盤の固定及び固定解除状態を報知する報知手段と、を有することを特徴としている。また、請求項３に記載の発明は、機種情報が表示された証紙が表面に貼着され端部に支持部が設けられた貼着部材と、遊技盤の盤面に取り付けられ、前記貼着部材の裏面を前記盤面側に向けて前記支持部を支持し貼着部材を盤面に対して開閉動可能とする支持手段を備えた盤面部材と、前記貼着部材に対応してパチンコ機本体に設けられ、そのパチンコ機本体にセットされた前記遊技盤を固定及び固定解除する固定手段と、貼着部材の閉塞動作により前記固定手段による遊技盤の固定及び固定解除状態を報知する報知手段と、を有することを特徴としている。また、請求項４に記載の発明は、請求項３記載のパチンコ機において、前記貼着部材は、前記盤面部材が前記遊技盤から取り外されることにより前記支持手段による前記支持部の支持状態が解除されることを特徴としている。
【００１０】
請求項１及び請求項３に記載の発明では、貼着部材の表面に証紙を貼着し、貼着部材端部に設けた支持部を盤面部材の支持手段によって支持するとともに、貼着部材の裏面が遊技盤の盤面側を向くよう配置して盤面部材を盤面に取り付ける。これにより、盤面部材に支持された貼着部材が支持部を中心に遊技盤の盤面に対して開閉動するようになる。そして、貼着部材を盤面側に押し倒して閉じた状態にすると、貼着部材の表面がパチンコ機の前面側に向けられて証紙が視認できるようになり、貼着部材を開くと、貼着部材に覆われている領域が露出するようになる。
【００１１】
ここで、パチンコ機の製造時に証紙が貼り間違えられた際は、貼り付け不良となった貼着部材単体を廃棄すればよいため、廃棄する部材の容量が少なくされて資源の無駄使いが抑えられる。そして、証紙を正しく貼り付けた貼着部材を盤面部材に組み込むことで、簡単に不良修復することができる。
【００１２】
また、遊技盤から貼着部材（証紙）を取り外す、あるいは貼着部材を交換する際は、遊技盤から盤面部材を取り外して支持状態を解除する必要がある。そのため、従来のような係止構造よりも、貼着部材の脱着に手間が掛かることになるが、その分、不正に行われる証紙変更に対しての防止機能は強化される。一方、故障等による遊技盤入れ替え時の証紙交換では、上記の手順によって証紙（貼着部材）の付け替えが可能であるため、例えば、遊技盤の盤面に直接貼り付けられている証紙を剥がし、新たに貼り直すような場合よりも、作業性が良好となる。
【００１３】
また遊技盤には、開閉する貼着部材によって被覆及び露出される領域が設けられるため、この領域に、遊技者等には直接関係の無い表示を設けたり、機能部品等を配置するなどして、有効利用できるようになる。また、その拡張された領域を露出及び被覆する際は、貼着部材を開閉するだけでよいため操作が簡単である。さらにこの貼着部材は、着脱式とされた従来の取付板のように遊技盤（盤面部材）から分離することがないため、紛失を防ぐことができるとともに破損する危険性等も少なくされる。
【００１５】
さらに、請求項１及び請求項４に記載の発明では、遊技盤の盤面から盤面部材を取り外すと、貼着部材の支持部が支持手段から外れて支持状態が解除され、盤面部材と貼着部材が分離可能となる。これにより、貼着部材（証紙）を交換する際の作業性が良くなる。またここでは、支持手段を盤面部材に一体的に設けることも可能であり、これにより、部品点数の削減と組み付け工数の削減による製造コストの低減が図られる。
【００１６】
請求項５に記載の発明は、請求項３記載のパチンコ機において、前記支持手段は前記盤面部材とは別体とされ、盤面部材の裏面側からネジ部材により固定されることを特徴としている。
【００１７】
請求項５に記載の発明では、遊技盤から盤面部材を取り外して部材の裏面を露出させ、裏面側からネジ止めされているネジ部材を取り外すと、支持手段が盤面部材から取り外される。これにより、貼着部材の支持状態が解除されて盤面部材から分離できるようになる。したがって、証紙（貼着部材）の交換では、支持手段を脱着する手間が増えることになり、これによって、不正変更がより行いにくくされる。さらにここでは、貼着部材を盤面部材に組み付け一体化させた状態で取り扱うことができるため、製造時や証紙交換時の組み付け作業性も良好になる。
【００１８】
請求項６に記載の発明は、請求項１〜請求項５の何れか１項記載のパチンコ機において、前記支持部は前記貼着部材に一体成形された軸部又は軸受け部とされ、前記支持手段は前記軸部又は軸受け部に回動自在に係合する軸受け部又は軸部を有することを特徴としている。
【００１９】
請求項６に記載の発明では、貼着部材の支持部と盤面部材の支持手段とを、軸部と軸受け部を組み合わせたヒンジ機構とすることにより、支持手段が簡単な構造により実現される。
【００２０】
請求項７に記載の発明は、請求項１〜請求項６の何れか１項記載のパチンコ機において、前記盤面部材は、前記遊技盤の盤面を装飾する装飾部材とされていることを特徴としている。
【００２１】
請求項７に記載の発明では、貼着部材を開閉動可能に支持する盤面部材に、遊技盤の盤面を装飾するレール飾り等の装飾部材を用いることで、支持機能を備える専用の部材を別途設ける必要がなくなる。これにより、貼着部材の支持構造を安価に実現することができる。
【００２３】
また、請求項２及び請求項３に記載の発明では、遊技盤をパチンコ機本体にセットした状態で貼着部材を開放位置から閉止すると、固定手段による遊技盤の固定及び固定解除状態が報知手段によって検出され報知される。この報知方法については、固定又は固定解除状態の何れかが認識できるような仕方であればよく、何れかの状態のみを報知する、あるいは各状態が識別できるようそれぞれ報知するようにすることができる。
【００２４】
これにより、遊技盤の交換時やパチンコ機のトラブル等によって遊技盤を機器本体から脱着する際に、ホールの店員等が遊技盤を未固定のまま誤って組み立ててしまうことが防止される。
【００２５】
なお、このような遊技盤の固定及び固定解除を検出し報知する手段については、電気的スイッチとランプやブザー等の組み合わせ、あるいは機構的な構造等を用いることができる。
【００２６】
請求項８に記載の発明は、請求項２〜７の何れか１項記載のパチンコ機において、前記固定手段は、前方へ突出し前記盤面に対する略垂直線回りに回転可能とされて回転位置を変えることにより前記遊技盤に設けられた係合部材に係合及び係合解除する回転部材を有し、前記報知手段は、前記貼着部材の裏面に設けられ、貼着部材の閉塞動作により前記係合部材に係合した状態の前記回転部材に嵌め合わせられる嵌合部を有することを特徴としている。
【００２７】
請求項８に記載の発明では、パチンコ機本体に遊技盤をセットし、固定手段の回転部材を回転させ回転位置を変えると、遊技盤に設けられた係合部材に回転部材が係合及び係合解除して、遊技盤がパチンコ機本体に固定及び固定解除される。そして回転部材により遊技盤を固定した状態で貼着部材を閉じると、その位置にある回転部材に貼着部材の裏面に設けた嵌合部が嵌め合わせられて、貼着部材を完全に閉じることができる。また回転部材により遊技盤が固定されていない状態で貼着部材を閉じると、嵌合部が固定部材に嵌め合わせられないため、貼着部材を完全に閉じることができなくなる。
【００２８】
これにより、店員等は、遊技盤の固定及び固定解除状態を瞬時に認識することができる。また、報知手段が機構的構造によるため、安価に作製することができ、故障等による不具合も起こりにくくされる。
【００２９】
【発明の実施の形態】
以下、図面を参照して本発明の実施の形態を説明する。
【００３０】
図１には、本発明の一実施の形態に係るパチンコ機１０が示されている。なお、本実施形態のパチンコ機は、打球発射装置を遊技盤の左側下方に配置して遊技球を上方に発射する機種である。
【００３１】
図示のように、パチンコ機１０は外枠１２を備え、外枠１２の前面には、窓部を有する額縁状の内枠１４の一側部が開閉可能に取付けられている。内枠１４の窓部には、ガラス１６をガラスフレーム１８に装着したガラス枠２０の一側部が開閉可能に取付けられており、このガラス枠２０と内枠１４は、内枠１４の他側部に設けられた施錠装置（シリンダ）２２により施錠されるようになっている。
【００３２】
ガラス枠２０の下方位置には、パチンコ機本体内の賞球払出装置から払い出された遊技球（貸球）や賞球を貯留して打球発射装置（図示省略）へと誘導する球皿部２４を備えた一体皿２６が一側部を内枠１４に開閉可能に取付けられている。一体皿２６の前面には、左側下部に灰皿２８が配置され、右側下部には打球発射装置から発射する遊技球の飛距離を調整するための発射ハンドル３０が設けられている。
【００３３】
また内枠１４の窓部には、遊技盤載置台に載せて交換可能とされた遊技盤３２が窓部を塞ぐように設置されている。遊技盤３２は、ベニヤ板の表面に樹脂材料で形成されたシート状のセル３４が貼着されて、盤面に、ガイドレール３６とレール飾り（装飾部材）３８とによって囲まれた略円状の遊技領域４０が形成されており、セル３４の表面で遊技領域４０と対応する範囲には、背景画像や各種キャラクター画像等を含むデザイン図（図示省略）が印刷されている。
【００３４】
遊技領域４０には、特別図柄表示装置４２や大入賞口（変動入賞装置）４４等の役物、始動口４６や入賞口４８、風車５０、サイドランプ５２等の遊技部品が配設され、最下位置にアウト口５４が配置されている。なお、賞球表示灯や完了表示灯等の各種表示灯は、ガラス枠２０の前面に設けられている。
【００３５】
また本実施形態では、遊技盤３２の盤面右側端部に配置されたレール飾り３８がネジ止めされて盤面に取り付けられており、このレール飾り３８の前面右下端隅に、証紙５６を貼り付た証紙台５８が取り付けられている。そしてこの証紙台５８は、左方に配置されたヒンジ板６０に支持されて、盤面に対して開閉動するようになっている。
【００３６】
次に、本実施形態に係る証紙台の取付構造と、遊技盤の固定構造について説明する。図２には、遊技盤３２の右側端部と内枠１４の対応箇所を部分的に拡大した斜視図が示されており、図３には、証紙台５８の取付構造が分解斜視図によって示されている。
【００３７】
図示のように、内枠１４の窓部１４Ａ右内側部の上下所定位置には、遊技盤３２を固定するための固定装置６２がそれぞれ設けられている。固定装置６２は、円柱形状をした本体部６４の前面６４Ａから前方へ向けて、樹脂製の回転軸６６先端部に一体成形された、正面視を略ひし形とした板状の固定レバー６８が突出されている。この固定レバー６８は、回転軸６６の基端側が本体部６４に内蔵されているロック機構（図示省略）によって支持されており、図中の矢印Ａ方向に回転可能とされている。
【００３８】
そして、固定レバー６８を摘み回転軸６６回りに回転させると、ロック機構が働いて、固定レバー６８が縦向きの位置（図示の状態）及び横向きの位置でそれぞれロックされるようになり、そのロック状態から所定以上の回転力を加えることでロック解除し、低負荷で回転させられるようになっている。
【００３９】
一方、遊技盤３２の右側端部には、内枠１４に設けられた上下の固定装置６２とそれぞれ対応する位置に、端部を略円弧状に所定深さ切り欠いた逃げ部６９が形成されており（上側の逃げ部は図示を省略している）、この逃げ部６９上に、リテーナ（固定板）７０、７２が取り付けられている。
【００４０】
リテーナ７０、７２は金属製とされ、左側端部近傍に形成された貫通孔７４がネジ７６により、遊技盤３２の盤面３２Ａに形成されている下穴７８にネジ止めされて固定されている。また、リテーナ７０、７２を遊技盤３２に取り付けると、図示のように右側が遊技盤３２の右側端部から突出するようになり、その右側部分には、絞り加工によって縦長略矩形状の所定範囲が前方へと所定高さ隆起された隆起部８０が形成されている。さらに、隆起部８０の中央には、固定レバー６８の正面視形状よりも一回り大きい縦長の略ひし形状をした開口部８２が形成されている。
【００４１】
これにより、遊技盤３２をパチンコ機１０の内枠１４（パチンコ機本体）に取り付ける際は、固定レバー６８を縦向きの位置にして遊技盤３２を内枠１４の窓部１４Ａにセットしながら、リテーナ７０、７２の開口部８２を固定レバー６８に合わせて通し、リテーナ７０、７２の裏面が固定装置６２の本体部６４の前面６４Ａに当接するまで押し込む。すると、遊技盤３２の奥行き方向の位置決めがなされ、開口部８２を挿通した固定レバー６８は隆起部８０よりも前方へと突出する。そして、固定レバー６８を約９０度回し横向きにすると、固定レバー６８が開口部８２の縁（隆起部８０前面）に係合するとともに、その状態にロックされ、遊技盤３２がパチンコ機本体に固定される（図１の状態）。
【００４２】
また、遊技盤３２をパチンコ機本体から取り外すには、横向きになっている固定レバー６８を回し、開口部８２と重なるよう縦向きに変えることで、リテーナ７０、７２を固定レバー６８から抜き出すことができるようになる。
【００４３】
なお、説明は省略したが、遊技盤３２の左側端部は、窓部１４Ａの左内側部に形成された突起部（図示省略）に係合させて固定できるようになっている。
【００４４】
次に、証紙台について説明すると、証紙台５８は樹脂成形品で略矩形の平板状に形成されており、外形が、証紙５６よりも少し大きくされている。前述したように、この証紙台５８の表面（前面）５８Ａに証紙５６が貼り付けられており、証紙５６には、機械番号５６Ａや、製造業者、製造年、製造月をそれぞれ記号で表した製造情報５６Ｂ、あるいは製造業者名５６Ｃ等が表示されている。また証紙台５８の左側面には、所定の間隔で対向配置された一対の突起部８４が一体的に形成されており、その突起部８４間にヒンジ軸８６が設けられている。
【００４５】
証紙台５８の裏面５８Ｂには、周縁部に沿って周リブ８８が形成されており、裏面５８Ｂの略中央には、横方向に延出し所定の間隔で配置されたリブ９０が２個形成されている。このリブ９０は、前述した固定装置６２の固定レバー６８と対応する位置に設けられており、両リブの内壁面の間隔が固定レバー６８の最大幅寸法よりも少し大きくされている。そしてこのリブ９０によって形成された凹部９２が、固定レバー６８に嵌め合わせられる嵌合部となっている。
【００４６】
また、上記の証紙台５８は、ヒンジ軸８６がヒンジ板６０に支持されて、レール飾り３８に取り付けられるようになっている。ヒンジ板６０は、樹脂成形品で矩形平板状に形成されており、高さ寸法が証紙台５８の突起部８４の内寸法よりも僅かに小さくされている。また、ヒンジ板６０の裏面右側端部近傍には、縦方向に沿って延出し底壁面が円弧形状とされた軸受け溝９４が形成されており、この軸受け溝９４がヒンジ軸８６に回動自在に係合するようになっている。さらにヒンジ板６０の裏面略中央には、円形孔９６が形成されたボス９８が突設されている。
【００４７】
これら証紙台５８とヒンジ板６０が取り付けられるレール飾り３８の前面右下端隅には、ヒンジ板６０に証紙台５８を組み付けた状態の外形形状で、部材前面から証紙台５８及びヒンジ板６０の厚さ寸法分だけ凹まされた凹部１００が形成されている。
【００４８】
また、凹部１００の右側部分は、レール飾り３８が遊技盤３２に取り付けられた際にリテーナ７２の隆起部８０周辺を露出させるための切り欠き部１０１とされており、左側端部に配置されたヒンジ板取付部１０２の底面略中央には、貫通孔１０４が形成されている。そしてヒンジ板６０は、ヒンジ板取付部１０２に嵌め込まれ、ボス９８の円形孔９６に、レール飾り３８の裏面側から貫通孔１０４に挿通されたネジ１０６の先端ネジ部がねじ込まれることにより、レール飾り３８に固定されるようになっている。また、その取付状態では、ヒンジ板６０の表面がレール飾り３８の前面に揃えられている（図１参照）。
【００４９】
これにより、証紙台５８はヒンジ板６０を介してレール飾り３８に取り付けられるようになり、取付状態では、ヒンジ軸８６を中心に図中矢印Ｂ方向に回動可能となって、遊技盤３２の盤面３２Ａに対して開閉動できるようになる。また、証紙台５８を閉じると、裏面５８Ｂの周リブ８８及びリブ９０が凹部１００の底壁面に当接して位置規制され、その状態では、ヒンジ板６０と同様、表面５８Ａがレール飾り３８の前面に揃うようになっている（図１参照）。
【００５０】
次に、本実施形態の作用を説明する。図４及び図５には、遊技盤がパチンコ機本体にセットされた状態での証紙台の開閉動作の様子が示されている。
【００５１】
図４（Ａ）では、証紙台５８が開放され、固定レバー６８が横向きの位置とされて、遊技盤３２がパチンコ機本体に固定されている。この状態で、証紙台５８を盤面側に押し倒して閉じると、図４（Ｂ）に示すように、証紙台５８の裏面５８Ｂに設けた凹部９２が固定レバー６８に嵌り込んで、証紙台５８が完全に閉められる。さらにガラス枠２０を内枠１４に閉じると、ガラス１６を通して、遊技盤３２右下隅に配置されている証紙５６を視認することができる。
【００５２】
また、図５（Ａ）は、固定レバー６８が縦向きの位置であり、遊技盤３２が正しく固定されていない状態である。ここでそのまま証紙台５８を閉じると、図５（Ｂ）に示すように、証紙台５８裏面のリブ９０が固定レバー６８に当接する。そのため、証紙台５８が完全に閉まらない状態となる。さらに、ガラス枠２０を閉めようとしても、ガラス１６が証紙台５８に当たるため、ガラス枠２０も閉まらなくなる。
【００５３】
これにより、製造時や遊技盤交換時、あるいはホールでパチンコ機がトラブルを起こし遊技盤を脱着する際等に、作業者は、証紙台５８を閉じる、またはガラス枠２０を閉じることで、遊技盤３２の固定及び固定解除状態を瞬時に認識することができる。したがって、遊技盤３２の取付ミスが防止される。
【００５４】
また、製造時に証紙台５８に証紙５６を貼り間違えた場合は、その貼り付け不良となった証紙台５８が単体で廃棄されることになる。そのため、従来よりも廃棄部材の容量は少なくなり、無駄が抑えられる。また不良修復は、証紙５６を正しく貼り付けた証紙台５８に組み換えるだけでよいため、簡単であり、証紙５６の貼り付け作業においては、証紙台５８が小さくされていることで、作業性が良好となる。
【００５５】
また、遊技盤３２から証紙台５８（証紙５６）を取り外す場合は、ネジ止めされているレール飾り３８を遊技盤３２から取り外し、レール飾り３８の裏面側からネジ１０６を緩めヒンジ板６０を取り外すことにより、証紙台５８がレール飾り３８から取り外される。そのため、従来のような係止構造よりも、証紙台５８の脱着に手間が掛かり、その分、不正に行われる証紙変更に対しての防止機能が強化される。
【００５６】
またこの証紙台５８は、レール飾り３８に組み付け一体化させた状態で取り扱うことができるため、製造時の組み付けにおいても作業性が良好になる。
【００５７】
また遊技盤３２には、開閉する証紙台５８によって被覆及び露出される領域が設けられている。本実施形態では、この領域に、遊技盤３２を固定するためのリテーナ７２と、パチンコ機本体側の対応位置に固定装置６２を配置している。このように、証紙台５８とリテーナ７２とを積層的に配置していることで、遊技盤３２の限られた部品レイアウト・スペースを有効に使用することができている。
【００５８】
また、その拡張された領域を露出及び被覆する際は、証紙台５８を開閉するだけでよいため操作が簡単であり、さらに証紙台５８は、ヒンジ板６０によって支持し遊技盤３２（レール飾り３８）から分離しないようにしているため、着脱構造とした場合の紛失等も防止される。
【００５９】
以上説明したように、本実施形態に係るパチンコ機１０では、証紙台５８の表面５８Ａに証紙５６を貼着し、裏面５８Ｂが遊技盤３２の盤面３２Ａ側を向くよう配置して、証紙台５８の側端部に設けたヒンジ軸８６をヒンジ板６０によって支持しレール飾り３８に取り付け、証紙台５８を盤面３２Ａに対して開閉動させる構成としたことにより、証紙５６の交換作業の容易性を損なうことなく、証紙５６を貼着する部材の廃棄による無駄も抑えながら、証紙５６の不正変更防止を強化して不正な営業行為を抑制することができる。さらに、遊技盤３２の盤面スペースを有効に使用することもできる。
【００６０】
また本実施形態では、証紙台５８の開閉機構（支持手段）をヒンジ機構（ヒンジ軸８６と軸受け溝９４の組み合わせ）としたことにより、構造が簡単になっている。
【００６１】
さらに本実施形態では、証紙台５８を開閉動可能に支持する部材に、ヒンジ板６０を組み込付けたレール飾り３８を用いていることで、そのような支持機能を備える専用の部材を別途設けることなく、安価に作製できている。
【００６２】
なお、本実施形態における証紙台５８のヒンジ機構では、証紙台５８側にヒンジ軸８６を設け、ヒンジ板６０側に軸受け溝９４を形成しているが、それらの配置は逆にしてもよい。
【００６３】
また本実施形態では、証紙台５８によって被覆される領域に、遊技盤３２をパチンコ機本体に固定するための機能部品（リテーナ７２及び固定装置６２）を配置しているが、これは他の部品でも構わない。また他にも、遊技者等には直接関係の無い表示（例えば、遊技機枠用の機械番号）等を設けることで、通常は証紙台５８で隠しておくようにすることもできる。
【００６４】
また本実施形態では、ヒンジ板６０をレール飾り３８とは別体に構成しているが、例えば、レール飾り３８の凹部１００を所定形状取り除き、ヒンジ板６０に相当する形状を形成して、軸受け溝９４をレール飾り３８に一体的に設けることも可能である。その場合、遊技盤３２の盤面３２Ａからレール飾り３８を取り外すことで、証紙台５８のヒンジ軸８６が軸受け溝９４から外れるようになり、レール飾り３８から証紙台５８を分離することができるようになる。そのため、証紙台５８（証紙５６）を交換する際の作業性が良くなるとともに、部品点数の削減と組み付け工数の削減による製造コストの低減も図られる。
【００６５】
また本実施形態では、証紙台５８を開放位置から閉止することにより、遊技盤３２の固定及び固定解除状態が認識できるようになっているが、そのような各状態の検出と報知手段については、上述した証紙台５８裏面の凹部９２と固定装置６２の固定レバー６８の組み合わせ（嵌合構造）以外でもよい。例えば、他の機構的手段としてもよく、あるいは、電気的スイッチとランプ等を組み合わせた電気的手段等によっても実現することができる。
【００６６】
【発明の効果】
本発明のパチンコ機は上記構成としたので、遊技盤に設ける証紙の交換作業の容易性を損なうことなく、証紙を貼着する部材の廃棄による無駄を抑えることができ、しかも証紙の不正変更防止が強化されて不正な営業行為を抑制することができる。さらに、遊技盤の盤面スペースを有効に使用することもできる。
【図面の簡単な説明】
【図１】本発明の一実施形態に係るパチンコ機を示した斜視図である。
【図２】本発明の一実施形態に係る遊技盤の右側端部と内枠の対応箇所を部分的に拡大した斜視図である。
【図３】本発明の一実施形態に係る証紙台の取付構造を示した分解斜視図である。
【図４】本発明の一実施形態に係るパチンコ機本体にセットされた遊技盤が、固定又は固定解除されているかを報知する動作の説明図であり、（Ａ）は遊技盤が固定レバーによって固定されている状態であり、（Ｂ）は証紙台が完全に閉じられることで固定状態が報知されている様子である。
【図５】本発明の一実施形態に係るパチンコ機本体にセットされた遊技盤が、固定又は固定解除されているかを報知する動作の説明図であり、（Ａ）は遊技盤が固定解除されている状態であり、（Ｂ）は証紙台が完全に閉められないことで固定解除状態が報知されている様子である。
【符号の説明】
１０        パチンコ機
３２        遊技盤
３２Ａ      盤面
３８        レール飾り（盤面部材／装飾部材）
５６        証紙
５６Ａ      機械番号（機種情報）
５６Ｂ      製造情報
５６Ｃ      製造業者名（機種情報）
５８        証紙台（貼着部材／報知手段）
５８Ａ      表面
５８Ｂ      裏面
６０        ヒンジ板（支持手段）
６２        固定装置（固定手段）
６８        固定レバー（回転部材）
７２        リテーナ（係合部材）
８６        ヒンジ軸（支持部／軸部）
９２        凹部（嵌合部）
９４        軸受け溝（軸受け部）
１０６      ネジ（ネジ部材）
【図１】
0003696534.tif 000002
【図２】
0003696534.tif 000003
【図３】
0003696534.tif 000004
【図４】
0003696534.tif 000005
【図５】
0003696534.tif 000006